(57)【要約】【課題】  折版屋根を葺く場合の溶接作業による危険を回避し、作業効率を向上させる。【解決手段】  複数の長尺な折版屋根材４を、凹条溝９ａ、９ｂとで係合させる。凹条溝９ａには、係合凸部１０ａ、１２ａと位置決め凹部１１ａとが形成されており、それぞれ凹条溝９ｂの係止凹部１４ａ、１６ａと位置決め凸部１５ａと係合される。係合された複数の折版屋根材４、４は、クリップ部２１を有し梁部材３の所定の位置において梁部材３を挟むようにして固定されている接続具２の剣先ボルト２２においてナット２３によって締着されている。【選択図】  図１
2005163341.tif 000002
【特許請求の範囲】
【請求項１】
長尺の板状体の相対する長辺に沿って、この板状体の一方の主面側が開口した幅方向に弾性変位する凹条溝が形成されており、一方の凹条溝が、他方の主面側が一方に隣接する折版屋根材に接続する係合凸部となり、他方の凹条溝が、他方に隣接する折版屋根材が接続される係合凹部となることを特徴とする折版屋根材。
【請求項２】
上記板状体には、上記凹条溝の間に谷部が形成され、この谷部を構成する側面部には、上記隣接する折版屋根材との連結部分を覆う蓋体が係止される係止溝が形成されていることを特徴とする請求項１記載の折版屋根材。
【請求項３】
長尺の板状体の相対する長辺に沿って、この板状体の一方の主面側が開口した幅方向に弾性変位する凹条溝が形成されており、一方の凹条溝が、他方の主面側が一方に隣接する折版屋根材に接続する係合凸部となり、他方の凹条溝が、他方に隣接する折版屋根材が接続される係合凹部とからなる複数の折版屋根材を、上記係合凹部に上記係合凸部を係合させて建築物の梁部材に配列し、
係合された上記凹条溝の底面部に、上記建築物の梁部材に取り付けられる接続具を貫通させて、互いに隣り合う折版屋根材を連結することを特徴とする折版屋根材の接続方法。
【請求項４】
各折版屋根材には、上記凹条溝の間に谷部が形成され、この谷部を構成する側面部には、係止溝が形成されており、上記折版屋根材の接続部分は、上記互いに隣接する折版屋根材の係止溝に蓋体を係止して覆うことを特徴とする請求項３記載の折版屋根材の接続方法。
【請求項５】
長尺の板状体の相対する長辺に沿って、この板状体の一方の主面側が開口した幅方向に弾性変位する凹条溝が形成されており、一方の凹条溝が、他方の主面側が一方に隣接する折版屋根材に接続する係合凸部となり、他方の凹条溝が、他方に隣接する折版屋根材が接続される係合凹部とからなる複数の折版屋根材を、上記係合凹部に上記係合凸部を係合させて建築物の梁部材に配列し、
係合された上記凹条溝の底面部に、上記建築物の梁部材に取り付けられる接続具を貫通させて、互いに隣り合う折版屋根材を連結してなることを特徴とする折版屋根材の接続構造。
【請求項６】
各折版屋根材には、上記凹条溝の間に谷部が形成され、この谷部を構成する側面部には、係止溝が形成されており、上記折版屋根材の接続部分は、上記互いに隣接する折版屋根材の係止溝に蓋体を係止して覆われていることを特徴とする請求項５記載の折版屋根材の接続構造。
【発明の詳細な説明】
【技術分野】
【０００１】
本発明は、建築物の屋根材に用いる折版屋根材及びこの折版屋根材の接続方法及び接続構造に関する。
【背景技術】
【０００２】
従来、折版屋根を葺く場合には、下記特許文献１に記載されているように、建築物の梁部材の上面に折版屋根取付用のタイトフレームを溶接し、そのタイトフレームに折版屋根材がボルトとナットにより固定される。
【０００３】
しかしながら、上述のような溶接を用いる固定方法は、建設現場において溶接作業を行わなければならず、折版屋根材の接続作業が煩雑なものとなる。また、この溶接作業は、作業者によって溶接部分の強度に差異が生じたり、高所での長時間の作業による危険を伴い、更に、溶接用の電源を用意する必要がある等の問題点がある。さらに、溶接箇所には再度塗装を施さなければならないことや、溶接作業中は火の粉の飛び散りによる思わぬ怪我を防止するために他の作業が中断されることなど、作業効率が低いという問題点もある。
【０００４】
【特許文献１】特開平８−２８４３２８号公報
【発明の開示】
【発明が解決しようとする課題】
【０００５】
本発明は、上述のような問題点を解消したもので、折版屋根を容易に組み立てることができる折版屋根材、折版屋根材の接続方法及び折版屋根材の接続構造を提供することを目的とする。
【課題を解決するための手段】
【０００６】
本発明に係る折版屋根材は、上述の目的を達成するために、長尺の板状体の相対する長辺に沿って、この板状体の一方の主面側が開口した幅方向に弾性変位する凹条溝が形成されており、一方の凹条溝が、他方の主面側が一方に隣接する折版屋根材に接続する係合凸部となり、他方の凹条溝が、他方に隣接する折版屋根材が接続される係合凹部となることを特徴とする。
【０００７】
また、本発明に係る折版屋根材の接続方法は、長尺の板状体の相対する長辺に沿って、この板状体の一方の主面側が開口した幅方向に弾性変位する凹条溝が形成されており、一方の凹条溝が、他方の主面側が一方に隣接する折版屋根材に接続する係合凸部となり、他方の凹条溝が、他方に隣接する折版屋根材が接続される係合凹部とからなる複数の折版屋根材を、上記係合凹部に上記係合凸部を係合させて建築物の梁部材に配列し、係合された上記凹条溝の底面部に、上記建築物の梁部材に取り付けられる接続具を貫通させて、互いに隣り合う折版屋根材を連結することを特徴とする。
【発明の効果】
【０００８】
本発明によれば、互いに隣接する折版屋根材の凹条溝を一致させて一致された凹条溝に建築物の梁部材に取り付けられる接続具を貫通させて連結されるものであり、該接続具は建築物の梁等を挟むようにして取り付けられるので、建築物の梁等への溶接をしなくても、折版屋根を葺くことができ、作業効率の向上を図ることができる。
【発明を実施するための最良の形態】
【０００９】
以下、本発明を実施するための最良の形態を図面を参照して詳細に説明する。図１に示すように、本発明を適用した折版屋根１は、折版屋根材４が接続具２によって建築物の梁部材３に配列して固定され、建築物の屋根として用いられる。折版屋根１は、複数の折版屋根材４の間の接続部分に雨水などがたまるのを防ぐ役目をする蓋体５が取り付けられている。
【００１０】
ここで、折版屋根１を構成する折版屋根材４について説明する。折版屋根材４は、図２に示すように、長尺の金属板をプレス加工により折曲して形成されてなり、横断面が略Ｍ字状となすように形成されている。折版屋根材４は、幅方向中央よりに谷部６ａが形成されている。具体的に、谷部６ａは、底面部６と、底面部６と連続して斜めに立ち上がった側面部７、７と、それぞれの側面部７の頂部近傍に形成された蓋体５を係合するための係止凹部８、８とから構成されている。また、折版屋根材４は、谷部６ａの両側に、隣り合う折版屋根材４と接続するための凹条溝９ａ、９ｂが谷部６ａと連続して形成されている。ここで、一方の凹条溝９ａは、凹条の溝を形成する主面とは反対の他方の主面側が、一方に隣接する折版屋根材に接続する係合凸部となり、他方の凹条溝９ｂが他方に隣接する折版屋根材が接続される係合凹部となる。凹条の溝を形成する主面とは反対の他方の主面側が一方に隣接する折版屋根材に接続する係合凸部となる凹条溝９ａは、側面部１０と、底面部１１と、側面部１２とで断面がコ字状に形成されている。
【００１１】
側面部１０は、底面部１１の近傍に折版屋根材４の他方の主面に突出した第１の係止凸部１０ａが形成されている。この第１の係止凸部１０ａは、後述する他の折版屋根材４の凹条溝９ｂの第１の係止凹部１６ａと係合される。また、底面部１１は、幅方向中央部に位置決め凹部１１ａが形成されている。この位置決め凹部１１ａは、後述する他の折版屋根材４の凹条溝９ｂの位置決め凸部１５ａと係合される。さらに、側面部１２は、第２の係止凸部１２ａが形成されている。この第２の係合凸部１２ａは、後述する他の折版屋根材４の凹条溝９ｂの第２の係合凹部１４ａと係合される。
【００１２】
なお、２つの側面部１０、１２は、それぞれの係合凸部１０ａ、１２ａが係合しやすいように、幅方向に弾性変位するように形成されている。
【００１３】
また、底面部１１に形成された位置決め凹部１１ａは、後述する接続具２を構成する剣先ボルト２２を貫通させて折版屋根材４、４を接続する部分である。
【００１４】
また、凹条の溝を形成する主面側が隣接する折版屋根材に接続する係合凹部となる凹条溝９ｂは、凹条溝９ａと同様に側面部１４と、底面部１５と側面部１６とで、断面がコ字状になるように形成されている。
【００１５】
側面部１４は、底面部１５の近傍に折版屋根材４の他方の主面に突出した第２の係合凹部１４ａが形成されている。この第２の係合凹部１４ａは、他の折版屋根材４の凹条溝９ａの第２の係止凸部１２ａと係合される。また、底面部１５は、幅方向における中央部に位置決め凸部１５ａが形成されている。この位置決め凸部１５ａは、他の折版屋根材４の凹条溝９ａの位置決め凹部１１ａと係合される。さらに、側面部１６は、第１の係止凹部１６ａが形成されている。この第１の係止凹部１６ａは、他の折版屋根材４の凹条溝９ａの第１の係止凸部１０ａと係合される。
【００１６】
なお、底面部１５に形成された位置決め凸部１５ａには、位置決め凹部１１ａと同様に、接続具２の剣先ボルト２２を貫通させて折版屋根材４，４を接続する部分である。また、凹条溝９ｂは、凹条溝９ａとほぼ同様の形状をしているが、凹条溝９ａより若干大きくなっている。具体的には、底面部１１の幅は底面部１５の幅より、小さい。また、位置決め凹部１１ａの凹部の深さは、位置決め凸部１５ａの凸部の高さより大きい。このようにすれば、係合凹部となる凹条溝９ｂは、凹条溝９ａの凹条の溝を形成する主面とは反対の主面側が係合凸部となり、凹条溝９ａと係合しやすくなる。
【００１７】
次に、蓋体５が係止される係止凹部８について説明する。係止凹部８は、折版屋根材４の接続部分を覆う蓋体５の長尺方向の端縁の一方が係止される溝であり、蓋体５は、隣り合う折版屋根材４の係止凹部８，８に長尺方向の両側端の爪部５１が係止されることによって折版屋根材４の接続部分を覆うように取り付けられる。
【００１８】
次に、接続具２について説明をする。接続具２は、図３に示すように、断面がコ字状をしたクリップ部２１と、折版屋根材４の底面部１１，１５を貫通させる剣先ボルト２２とから構成されている。
【００１９】
クリップ部２１は、梁部材３を挟み込むことができるように、一定幅の金属板を断面がコ字状となるようにプレス成形されており、相対向する片２６，２８が梁部材３の厚さとほぼ同じ分だけ離間して形成されている。一方の片２６には、幅方向中央が台形状に盛り上がって折版屋根材４を係止するための剣先ボルト２２を垂設するための平面部２６ａが設けられている。また、平面部２６ａは、凹条溝９ｂの底辺部１５の裏面と当接される部位であるため、剣先ボルト２２を除く部位が平らに形成されている。
【００２０】
剣先ボルト２２は、先端が円錐状で尖鋭な尖鋭頂部２２ａが形成されている。また、剣先ボルト２２は、この尖鋭頂部２２ａを、折版屋根材４、４が係合された凹条溝９ａ、９ｂの底面部１１、１５に貫通させて、２つの折版屋根材４、４を、ナット２３、ナット座金２４、止水パッキン２５とによって締着させる。
【００２１】
相対向する片２６，２８を接続している折曲部２７は、一方の片２６と他方の片２８とを繋ぐものであり、折曲部２７は、幅方向に例えば３等分され、それぞれの部位が接続具２外側へ膨出形成され山部２７ａが形成されている。これにより、折曲部２７は、単に金属板を折り曲げた場合より、折り曲げ箇所の強度を向上することができる。なお、山部２７ａは、上述のように幅方向に３等分されたものについて述べたが、これに限らず、折曲部２７を補強する目的のためであれば山部２７ａの幅や数は上述に限定されるものではない。
【００２２】
他方の片２８は、折曲部２７から連続的に形成される部位であり、クリップ部２１に梁部材３を挟んだときのズレ落ち防止のための凸部２８ａが幅方向に亘って形成されている。凸部２８ａは、クリップ部２１の開口部近傍に形成されており、一方の片２６と凸部２８ａとの距離ｄが、Ｈ鋼などからなる梁部材３を挟んで固定される部位の厚みＤとほぼ等しい、もしくは距離ｄが厚みＤよりも小さくなるように設けられている。このことにより、クリップ部２１を梁部材３の所定の位置に圧入したときに梁部材３からズレにくくなる。
【００２３】
続いて、蓋体５について説明する。蓋体５は、折版屋根材４と同様に長尺で凹条溝９ａ、９ｂを覆うような幅からなる部材である。蓋体５は、図４に示すように、隣接する２つの折版屋根材４、４のそれぞれの係止凹部８、８によって係止されるように、端部に爪部５１が形成されている。蓋体５は、折版屋根材４の傾斜部７、７の頂部をつなぐように装着され、一方の傾斜部７と蓋体５と他方の傾斜部７とによって、断面が山状になるように形成されている。蓋体５は、爪部５１を係止凹部８に装着しやすいように断面がＣ字状に形成され、図４のＸ方向に弾性変形できるように形成されている。
【００２４】
上述した構成からなる折版屋根材４を複数用いて、次のようにして、図１に示すような折版屋根１を形成する。先ず、作業者は、接続具２を梁部材３の所定の位置に挟み固定する。接続具２は、図３に示すように、クリップ部２１において梁部材３を挟むようにして固定される。このとき、接続具２は、一方の片２６が梁部材３の上面に位置するように取り付けられる。また、他方の片２８は、凸部２８ａが形成されており、クリップ部２１を梁部材３に挟んだとき、所定の位置からずれるのを防止する役目をしている。
【００２５】
次に、作業者は、折版屋根材４を接続具２の所定の位置に配置する。つまり、作業者は、折版屋根材４の底辺部１５に形成された位置決め凸部１５ａの裏面と、剣先ボルト２２の尖鋭頂部２２ａとが当接するように、折版屋根材４と接続具２とを配置する。次に、図４に示すように、他の折版屋根材４の凹条溝９ａが、配置された折版屋根材４の凹条溝９ｂに係合される。そのとき、配置された折版屋根材４の第１の係止凹部１６ａと他の折版屋根材４の係合凸部１０ａとが係合され、配置された折版屋根材４の第２の係合凹部１４ａと他の折版屋根材４の第２の係止凸部１２ａとが係合され、配置された折版屋根材４の位置決め凸部１５ａと他の折版屋根材４の位置決め凹部１１ａとが係合される。次に、作業者は、尖鋭頂部２２ａが当接されている位置決め凸部１５ａ近傍をハンマーなどによって叩く。こうすることによって、剣先ボルト２２を位置決め凹部１１ａと位置決め凸部１５ａとに貫通させることができ、貫通孔１３を開けることができる。
【００２６】
折版屋根材４は、上記と同様に、配置された折版屋根材４の凹条溝９ｂと、他の折版屋根材４の凹条溝９ａとが係合されて、複数の折版屋根材４が接続されるようになる。
【００２７】
次に、作業者は、それぞれの貫通孔１３に貫通された剣先ボルト２２を、止水パッキン２５及びナット座金２４を挿通させた後に、ナット２３によって締着する。
【００２８】
最後に、作業者は、蓋体５を凹条溝９を覆うように、所定の位置に圧嵌装着する。蓋体５は、図４に示すように、爪部５１が係止凹部８に引っかかる位置まで嵌めこめられる。このようにして、折版屋根材４は、蓋体５によって凹条溝９に水やゴミがたまるのを防ぎ、水漏れを防ぐことができる。
【００２９】
以上のようにして、作業者は、接続具２を用いることによって、溶接作業を施すことなく、容易に折版屋根材４を梁部材３に固定し、折版屋根１を葺くことができる。また、溶接用の電源を用意する必要もなく、溶接による梁の仕上げ塗装をする必要もない。さらに、ハンマーなどによって貫通孔を形成して固定しているので、折版屋根材の細かい位置決めを行う必要がなく、作業効率が向上される。
【００３０】
なお、本発明に係る折版屋根材４は、一対の側面部７、７と一対の係止凹部８、８と一対の凹条溝９ａ、９ｂと底部６とにより構成されていることを述べたが、これに限らず、折版屋根材４を２つ係合した状態の屋根材を１枚の金属板から連続的に成形した折版屋根材であってもよい。
【図面の簡単な説明】
【００３１】
【図１】本実施の形態として示す折版屋根材を係止金具を介して建築物の梁部材に固定した使用状態を示す斜視図である。
【図２】本実施の形態として示す折版屋根材の斜視図である。
【図３】本実施の形態として示す係止金具の斜視図である。
【図４】本実施の形態として示す折版屋根材に装着される蓋体の断面図である。
【符号の説明】
【００３２】
１  折版屋根、２  係止金具、３  梁、４  折版屋根材、５  蓋体、６  底部、６ａ  谷部、７  側面部、８  係止凹部、９ａ，９ｂ  凹条溝、１０，１２，１４，１６  側面部、１０ａ，１２ａ，１５ａ  係合凸部、１１，１５  底面部、１１ａ  位置決め凹部、１４ａ，１６ａ  係合凹部、１５ａ  位置決め凸部、１３  孔、２１  クリップ部、２２  剣先ボルト、２２ａ  尖鋭頂部、２３  ナット、２４  ナット座金、２５  止水パッキン、２６，２８  片、２６ａ  平面部、２７  折曲部、２７ａ  山部、２８ａ  凸部、５１  爪部
【図１】
2005163341.tif 000003
【図２】
2005163341.tif 000004
【図３】
2005163341.tif 000005
【図４】
2005163341.tif 000006